(57)【特許請求の範囲】
【請求項１】
感光性印刷版の束を収納し、感光性印刷版を外部へ取り出すための供給口が形成された身箱及び、該身箱の上端部に沿って摺動可能となるように身箱により支持されて前記供給口を開閉する開閉蓋が設けられた印刷版包装箱が着脱可能に装着され、該印刷版包装箱を外部からの光が遮断された遮光室内へ保持する印刷版収納部と、
前記遮光室内において供給口が開状態とされた印刷版包装箱内から感光性印刷版を取り出し、この感光性印刷版を所定の位置へ搬送する取出搬送手段と、
前記取出搬送手段による取出動作の開始時に、前記供給口を閉状態とする閉鎖位置にある前記開閉蓋の上面部に駆動ローラのローラ面を押し当てつつ該駆動ローラを正転させ、該駆動ローラにより前記開閉蓋を前記供給口を開状態とする開放位置まで摺動させ、前記取出搬送手段による取出動作の完了後に、前記開閉蓋にローラ面を押し当てた前記駆動ローラを逆転させ、該駆動ローラにより前記開閉蓋を前記供給口を閉状態とする閉鎖位置へ摺動させる蓋開閉手段と、
を有することを特徴とする感光性印刷版供給装置。
【発明の詳細な説明】
【０００１】
【発明の属する技術分野】
本発明は、外部からの光が遮断された装置内おいて印刷版包装箱内から感光性印刷版を取り出し、この感光性印刷版を自動製版機等における所定の位置へ搬送する感光性印刷版供給装置に関する。
【０００２】
【従来の技術】
感光性印刷版（ＰＳ版）は、近年、電子写真製版法により製版工程の自動化が容易であることから広く用いられている。このような感光性印刷版は、例えば薄いアルミニウム板上へ電子写真感光層を形成したものであり、デジタルプレートレコーダ（セッター）等の自動製版機へ装填され、この自動製版機により電子写真感光層へ原稿画像に基づく露光，現像，定着等が行われて製版される。また自動製版機には、感光性印刷版の供給を自動化するために印刷版供給機装置を備えたものがあり、この印刷版供給装置へ複数枚の感光性印刷版が積層された感光性印刷版の束を装填することにより、製版工程の開始と共に印刷版供給装置により感光性印刷版の束から１枚の感光性印刷版が取り出され、この感光性印刷版が製版工程が開始される製版開始位置へ搬送される。自動製版機は、製版開始位置へ搬送されてきた感光性印刷版を所定の製版工程に従って露光部，現像部，定着部等へ順次搬送し、製版完了した感光性印刷版を装置外部へ排出する。
【０００３】
上記のような感光性印刷版は感光性が高く、僅かな光によって露光されても感光層に化学変化が生じる。このため、感光性印刷版のメーカでは、通常、感光性印刷版を遮光性を有する内装紙によりキャラメル包装又はピロー包装し、更に内装紙の破損等を防止するため、内装紙により包装された感光性印刷版を包装箱内へ収納した状態で出荷している。ここで、感光性印刷版を包装するための内装紙としては、例えば、クラフト紙にポリエチレンを溶融塗布してアルミニウム箔を貼り合わせたアルミクラフト紙や、ブラックカーボンを溶融した線状低密度ポリエチレンをクラフト紙へ塗布したポリエチレンラミネートクラフト紙等の遮光性が高い紙を用いる。また包装箱としては、例えば、軽量で強度が大きい段ボール製の箱が用いられる。
【０００４】
【発明が解決しようとする課題】
しかしながら、感光性印刷版を自動製版装機における印刷版供給装置へ装填する際には、包装箱を開けて感光性印刷版を包装箱から取り出し、更に遮光性を有する内装紙による包装を開封しなければならない。このため、感光性印刷版を印刷版供給装置へ装填する作業は暗い環境下で、しかも手作業により行わなければならないので、著しく作業性が悪い。
【０００５】
本発明の目的は、上記の事実を考慮し、内装紙による包装紙，包装箱等の感光性印刷版の包装材を開ける作業を不要にすると共に、明るい環境下で感光性印刷版の装填作業を行える感光性印刷版自動供給装置を提供することにある。
【０００６】
【課題を解決するための手段】
請求項１記載の感光性印刷版印刷版供給装置は、感光性印刷版の束を収納し、感光性印刷版を外部へ取り出すための供給口が形成された身箱及び、該身箱の上端部に沿って摺動可能となるように身箱により支持されて前記供給口を開閉する開閉蓋が設けられた印刷版包装箱が着脱可能に装着され、該印刷版包装箱を外部からの光が遮断された遮光室内へ保持する印刷版収納部と、前記遮光室内において供給口が開状態とされた印刷版包装箱内から感光性印刷版を取り出し、この感光性印刷版を所定の位置へ搬送する取出搬送手段と、前記取出搬送手段による取出動作の開始時に、前記供給口を閉状態とする閉鎖位置にある前記開閉蓋の上面部に駆動ローラのローラ面を押し当てつつ該駆動ローラを正転させ、該駆動ローラにより前記開閉蓋を前記供給口を開状態とする開放位置まで摺動させ、前記取出搬送手段による取出動作の完了後に、前記開閉蓋にローラ面を押し当てた前記駆動ローラを逆転させ、該駆動ローラにより前記開閉蓋を前記供給口を閉状態とする閉鎖位置へ摺動させる蓋開閉手段と、を有するものである。
【００１２】
上記請求項１記載の感光性印刷版供給装置によれば、印刷版収納部の遮光室内において取出搬送手段による取出動作の開始時に、蓋開閉手段により印刷版包装箱の開閉蓋が開放位置へ移動して供給口が開状態となり、かつ取出搬送手段による取出動作の完了後に、蓋開閉手段により印刷版包装箱の開閉蓋が閉鎖位置へ復帰して供給口が閉状態となることにより、感光性印刷版の束を収納した印刷版包装箱を蓋部を閉めて印刷版収納部へ装着すれば、遮光室内において取出搬送手段により印刷版包装箱内から感光性印刷版を自動的に取り出すことが可能になるので、装置外部において感光性印刷版の束を収納した印刷版包装箱の開閉蓋を開ける作業を不要にでき、かつ感光性印刷版を露光させることなく明るい環境下で感光性印刷版の装填作業を行える。また印刷版収納部へ装着された印刷版包装箱を装置外部へ抜き出しても、開閉蓋により感光性印刷版への露光が防止されることから、明るい環境下で感光性印刷版を交換することが可能になる。
ここで、取出搬送手段による取出動作は、１枚の感光性印刷版が印刷版包装箱から外部へ取り出される毎に完了としてもよいが、複数枚の感光性印刷版を印刷版包装箱から連続的に取り出す場合には、１枚の感光性印刷版が取り出される毎に取出動作の完了とせずに、連続的に取り出される複数枚の感光性印刷版における最後の１枚が外部へ取り出された時を完了時としてもよい。また感光性印刷版の束を印刷版包装箱へ収納する場合には、感光性印刷版はその厚さ方向へ積層された状態で印刷版包装箱へ収納される。このとき、また積層された感光性印刷版の間には、感光性印刷版の感光面を保護するために合紙を挟み込むようにしてもよい。但し、印刷版包装箱へ収納される感光性印刷版の束は必ずしも複数枚の感光性印刷版により構成される必要はなく、１枚の感光性印刷版のみにより構成されていてもよい。
【００１６】
【発明の実施の形態】
（第１実施形態の構成）
図１及び図２には本発明の第１実施形態に係る印刷版供給装置が適用された自動製版機が示され、図３に本発明の第１実施形態に係る印刷版供給装置へ装着される印刷版供給カセットが示されている。自動製版機は、図１に示されるように印刷版供給装置１０、露光装置１２及び現像定着装置１４から構成されている。印刷版供給装置１２は筐体状の印刷版収納部１６及びこの印刷版収納部１６へ着脱可能に装着される印刷版供給カセット１８を備えている。印刷版収納部１６には、一方の側面部に印刷版供給カセット１８を着脱するための着脱口（図示省略）が形成され、この着脱口には図２に示されるようにスライド扉２０が配置されている。スライド扉２０は、印刷版収納部１６により着脱口に沿って摺動可能に支持されており、図２に示す閉鎖位置又は、この閉鎖位置から矢印方向へ摺動して着脱口を開放する開放位置へ保持される。スライド扉２０が開放位置へ保持されている場合には印刷版供給カセット１８が印刷版収納部１６に対して着脱可能になり、またスライド扉２０が閉鎖位置へ保持されている場合には印刷版収納部１６は内部に外部からの光入射が完全に遮断される遮光室２２を形成し、この遮光室２２内へ印刷版供給カセット１８を保持する。
【００１７】
印刷版供給カセット１８は、図３に示されるように印刷版装填ケース２４及びこの印刷版装填ケース２４を支持した支持台２６を備えている。印刷版装填ケース２４は厚さ方向における一方の面（上面）が開口した薄肉筐体状に形成されている。印刷版装填ケース２４内には底面に印刷版包装箱２８が設置される略長方形の設置面３０が設けられ、この設置面３０上には印刷版包装箱２８を所定の基準位置へ位置決めし、固定するための位置決め板３２，３４が配置されている。支持台２６は、設置面３０の長手が水平方向に対して傾斜するように印刷版供給カセット１８を下面側から支持している。ここで、位置決め板３２は設置面３０の長手方向へ移動可能に配置されており、設置面３０への印刷版包装箱３２の装填時に印刷版包装箱２８の長さに応じた位置へ固定され、設置面３０上において印刷版包装箱２８の下方側の側面へ当たる。これにより、印刷版包装箱２８は上方側へ位置する側面が設置面３０の上端と略一致するように位置決めされる。また一対の位置決め板３４はそれぞれ設置面３０の幅方向へ移動可能に配置されており、設置面３０への印刷版包装箱３２の装填時に印刷版包装箱３２の横幅に応じた位置へ固定され、設置面３０上において印刷版包装箱２８の幅方向の両側面へそれぞれ当たる。これにより、印刷版包装箱２８は、その幅方向中心が設置面３０の幅方向中心と略一致するように位置決めされる。但し、設置面３０上における基準位置は必ずしも中央位置である必要はなく、蓋開閉機構５４又は取出搬送機構５６の構造に応じて印刷版包装箱２８の一側面が印刷版装填ケース２４の内側壁へ当接する位置（左側面基準位置又は右側面基準位置）等へ適宜設定される。
【００１８】
支持台２６は、図１に示されるように印刷版装填ケース２４の下方へ中空室状の合紙収納部３６を形成している。また印刷版収納部１６内には底面に一対のガイド部材４０が設けられている。この一対のガイド部材４０は印刷版装填ケース２４の幅方向へ延在し、支持台２６の下面へそれぞれ係合している。これにより、スライド扉２０が開放位置へ保持された状態では、印刷版供給カセット１８はガイド部材４０により印刷版収納部１８内へ収納される装着位置と印刷版収納部１８の外部へ支持される印刷版交換位置との間を移動可能に支持される。
【００１９】
図４及び図５には本実施形態における印刷版供給カセット１８へ装填される印刷版包装箱２８が示されている。印刷版包装箱２８は複数枚の感光性印刷版４２及び合紙４４を収納して印刷版供給カセット１８の印刷版装填ケース２４へ装填される。印刷版包装箱２８は図４に示されるように身箱４６と、この身箱４６上へ離脱可能に被せられる開閉蓋４８とから構成されている。これらの身箱４６及び開閉蓋４８は、十分な遮光性及び強度を有する素材により製造される。このような素材としては、例えば、外ライナー，中芯及び中ライナーの秤量がそれぞれ２８０ｇ／ｍ3 ，１２５ｇ／ｍ3 及び２８０ｇ／ｍ3 でＡフルートの両面段ボール、外ライナー及び中ライナーの秤量がそれぞれ１５０ｇ／ｍ3 及び４００ｇ／ｍ3 、中芯の秤量が１００〜２５０ｇ／ｍ3 の両面段ボール、中芯として強化中芯を使用した両面段ボール、ＡＢフルートを有する複両面段ボール、秤量４００〜３０００ｇ／ｍ3 程度の厚紙や、薄手の紙を複数枚貼り合わせて秤量４００〜３０００ｇ／ｍ3 程度とした貼合紙を用いる。
【００２０】
身箱４６は、図４に示されるように箱内へ長方形の底面を形成した底板部４６Ａと、この底板部４６Ａの周縁から略直角に折り曲げられた長辺側及び短辺側の側板部４６Ｂ，４６Ｃとからなり、上面側が開口とされ、この上面開口が感光性印刷版４２を外部へ取り出すための供給口とされている。ここで、側板部４６Ｂ，４６Ｃが底板部４６Ａから折り曲げられて形成されていることから、底板部４６Ａと側板部４６Ｂ，４６Ｃとの間には継目は形成されないが、側板部４６Ｂと側板部４６Ｃとの間には一対の箱材料の縁部が互いに接合された継目ができる。この継目における遮光性を確保するため、身箱４６では組み立てられた状態で側板部４６Ｂと側板部４６Ｃとに互いに重なり合う部分（接着代）ができる展開形状を有しており、この接着代が酢酸ビニル系の接着剤等により互いに接着されて側板部４６Ｂと側板部４６Ｃとが隙間なく接合されている。但し、身箱４６は必ずしも１枚の素材から形成する必要はなく、方形枠状に一体成形された側板部４６Ｂ，４６Ｃを底板部４６Ａへ接合する分割構造としてもよい。
【００２１】
開閉蓋４８は、図４に示されるように蓋内に身箱４６の上面開口に対応する長方形の天面を形成した天板部４８Ａと、この天板部４８Ａの周縁から略直角に折り曲げられた長辺側及び短辺側の側板部４８Ｂ，４８Ｃとからなる。ここで、この開閉蓋４８でも身箱４６の場合と同様に側板部４８Ｂ，４８Ｃ間に継目が形成されることから、開閉蓋４８は側板部６８と側板部７０とに互いに重なり合う部分（接着代）ができる展開形状を有し、この接着代が互いに接着されて側板部４８Ｂと側板部４８Ｃとが隙間なく接合されている。
【００２２】
身箱４６内には、図４に示されるように所定枚数の感光性印刷版４２及び合紙４４が収納される。感光性印刷版４２は、例えば、厚さ０．３ｍｍのアルミニウム板の片面上へ電子写真感光層が形成されたものであり、公知の電子写真製版法による印刷用版素材として用いられる。また合紙４４は、例えば、晒しパルプを原料として製造されており、感光性印刷版５０の感光層を保護するために感光性印刷版４２の感光面へ弱い付着力で付着している。感光性印刷版４２及び合紙４４は厚さ方向へ交互に積層され、身箱４６内へ収納された状態では底板部４６Ａ上へ載置される。このとき、身箱４６の長辺方向及び短辺方向における内のり寸法は光性印刷版４２の縦及び横方向における長さより僅かに長くされている。これにより、身箱４６内においては側板部４６Ｂ，４６Ｃにより感光性印刷版５０の移動が制限されている。感光性印刷版４２及び合紙４４を収納した身箱４６上には開閉蓋４８が被せられて上面開口（供給口）が閉じられる。ここで、開閉蓋４８は、その深さが身箱４６の深さより浅くなるように形成されている。これにより、身箱４６へ開閉蓋４８が被せられた状態でも、身箱４６は側板部４６Ｂ，４６Ｃの下端部を外部へ露出させ、印刷版包装箱２８が設置面３０へ装着された場合には、位置決め板３２，３４は側板部４６Ｂ，４６Ｃの下端部のみへ当接して印刷版包装箱２８を所定の基準位置へ位置決めする。従って。位置決め板３２，３４と開閉蓋４８とが接触しないので、開閉蓋４８は位置決め板３２，３４により干渉されることなく開閉可能になる。
【００２３】
開閉蓋４８には、身箱４６上へ被せれた状態で上面開口の周縁部全周に亘って密着する光遮断部（図示省略）が設けられている。この光遮断部により開閉蓋４８は身箱４６と開閉蓋４８との隙間から印刷版包装箱２８内へ光が入射することを防止している。このような光遮断部は、開閉蓋４８に身箱４６の側板部４６Ｂ，４６Ｃの上端、外側面及び内側面の少なくとも一箇所へ密着する。更に、開閉蓋４８の光遮断部による光遮断性を高めるために、光遮断部に沿って遮光性及び柔軟性を有するスポンジ状、ビロード状等の遮光部材を貼り付けるようにしてもよい。
【００２４】
図５に示されるように、開閉蓋４８には天板部４８Ａの外面側に平滑性及び気密性を有するシート状材料が貼り付けられ、このシート状材料により被吸着部５０が設けれている。但し、天板部４８Ａの外面側が十分な平滑性及び気密性を有している場合には、シート状材料等からなる被吸着部５０は省略できる。また印刷版供給カセット１８への装着前には開閉蓋４８は固定用の粘着テープ５２により身箱４６上へ固定されている。この粘着テープ５２は開閉蓋４８の下端部から身箱４６の外側面へ貼り渡され、開閉蓋４８の下端と身箱４６の外側面との隙間を目張りする共に開閉蓋４８を身箱４６上へ固定している。粘着テープ５２は剥離時に身箱４６及び開閉蓋４８の表層部を剥離させない程度の粘着力で身箱４６及び開閉蓋４８へ貼り付けられている。
【００２５】
上記のように構成された印刷版包装箱２８は粘着テープ５２が剥離除去されて印刷版供給カセット１８へ装填される。この印刷版包装箱２８が装填された印刷版供給カセット１８は、図１に示されるように印刷版収納部１６内の装着位置へ装着される。印刷版収納部１６には、遮光室２２内に印刷版包装箱２８の開閉蓋４８に対する蓋開閉機構５４及び印刷版包装箱２８内の感光性印刷版４２に対する取出搬送機構５６が配置されている。
【００２６】
蓋開閉機構５４は、図６に示されるように印刷版収納部１６内に固定されたガイドレール５８と、このガイドレール５８に沿って移動可能に支持された駆動部６０と、この駆動部６０により支持された蓋吸着部６２とを備えている。ガイドレール５８は印刷版供給カセット１８の設置面３０に対する法線方向へ延在している。駆動部６０には駆動モータ（図示省略）と、この駆動モータにより正転又は逆転する駆動ローラ６４と、この駆動ローラ６４と共にガイドレール５８を挟持したアイドルローラ６６とが搭載されている。駆動部６０は駆動ローラ６４が正転又は逆転すると共に設置面３０上の印刷版包装箱２８に対して接近又は離間する方向へ移動する。また駆動部６０には吸気ポンプ６８が搭載されている。
蓋吸着部６２はスライド軸７０及び支持板７２を備えている。駆動部６０はスライド軸７０を設置面３０に対する法線方向へ摺動可能に支持すると共に、スライド軸７０を常に一定の付勢力により設置面３０の方向へ付勢している。スライド軸７０の先端部には設置面３０と略平行となるように支持板７２が固定されており、この支持板７２には設置面３０と対向するように複数個（図６では２個）の吸盤７４が配置されている。吸盤７４はシリコンゴム等の弾性材料により成形され、設置面３０との対向する吸着面が凹状湾曲面とされている。この吸盤７４には吸気ポンプ６８の吸気口から延出した吸気配管（図示省略）が接続され、この吸気配管の末端が吸盤７４の吸着面上へ開口している。
【００２７】
取出搬送機構５６は、図６に示されるように印刷版収納部１６内に固定されたガイドレール７８と、このガイドレール７８に沿って移動可能に支持された駆動部８０と、この駆動部８０により支持された吸盤８２とを備えている。ガイドレール７８は設置面３０の長手方向と略平行となるように支持されている。駆動部８０には、駆動モータ（図示省略）と、この駆動モータにより正転又は逆転する駆動ローラ８４と、この駆動ローラ８４と共にガイドレール７８を挟持したアイドルローラ８６とが搭載されている。駆動部８０は、駆動ローラ８４が正転又は逆転すると共にガイドレール７８の下端方向又は上端方向へ移動する。
【００２８】
駆動部８０には、スライド軸８８を設置面３０に対する法線方向へ延出又は収縮させるアクチュエータ９０と、吸気ポンプ９２とが搭載されている。スライド軸８８の先端には吸盤８２が固定されており、この吸盤８２はスライド軸８８が延出又は収縮する共に設置面３０上の印刷版包装箱２８に対して近接又は離間する。吸盤８２はシリコンゴム等の弾性材料により成形され、感光性印刷版４２と対向する吸着面が凹状湾曲面とされている。吸盤８２には吸気ポンプ９２の吸気口から延出した吸気チューブ９４が接続され、この吸気チューブ９４の末端は吸盤８２の吸着面上へ開口している。また駆動部８０には吸盤８２が吸着した吸着物が金属であるか否かを判断する金属センサ（図示省略）が搭載されている。
尚、上記の蓋開閉機構５４及び取出搬送機構５６では、必ずしも吸気ポンプ６８，９２を駆動部６０及び駆動部８０へ搭載する必要はなく、これらの吸気ポンプ６８，９２を印刷版収納部１６により直接的に支持し、伸縮可能な吸気チューブ等により吸盤７４，８２へ接続するようにしてもよい。
【００２９】
本実施形態に係る自動製版機には、図１に示されるように印刷版収納部１６内から露光装置１２内へ延在した印刷版搬送路９６、及び印刷版収納部１６内から現像定着装置１４内へ延在した印刷版搬送路９８が設けられている。これらの印刷版搬送路９６，９８はガイド板及び搬送ローラ等から構成され、感光性印刷版４２を２点鎖線により示される搬送経路に沿って搬送する。また印刷版収納部１６内には印刷版搬送路９６の入口部が設けられており、この刷版搬送路９６の入口部には、搬送ローラ対及び該搬送ローラ対により搬送開始された合紙４４及び感光性印刷版４２の搬送先を切り換えるための切換爪１００が配置されている。
【００３０】
露光装置１２には、印刷版搬送路９６により搬送されてきた感光性印刷版４２を巻き取り、感光性印刷版４２を裏面側から支持する支持ドラム、この支持ドラムにより支持された感光性印刷版４２の感光面をレーザ光により走査する光書き込みユニット等が配置されている。この露光装置１２により潜像が形成された感光性印刷版４２は印刷版搬送路９６，９８により現像定着装置１４へ搬送される。現像定着装置１４は感光性印刷版４２上の潜像を現像及び定着した後に印刷版トレー１０２上へ排出する。
【００３１】
（第１実施形態の作用）
上記のように構成された本発明の第１実施形態に係る印刷版供給装置１０の動作及び作用について説明する。
【００３２】
印刷版供給装置１０は自動製版機全体を制御するシステム制御部（図示省略）により制御される。システム制御部は装置外部のホスト装置等からの製版開始信号及び原稿画像に対応する画像データを受けて印刷版供給装置１０による感光性印刷版４２の供給動作を開始させる。
【００３３】
システム制御部は、感光性印刷版４２の供給動作開始と共に駆動ローラ６４を正転させて駆動部６０を図６において実線により示される待機位置から２点鎖線により示される吸着位置へ移動させ、吸気ポンプ６８を駆動させる。これにより、吸盤７４が印刷版供給カセット１８へ装填された印刷版包装箱２８の被吸着部５０へ圧接し、吸気ポンプ６８により生じた負圧により被吸着部５０へ吸着する。このとき、吸盤７４が一定以上の力で被吸着部５０を押圧すると、駆動部６０により摺動可能に支持され延出方向へ付勢されスライド軸７０が収縮することから、吸盤７４により印刷版包装箱２８へ過大な押圧力が作用することが防止されている。また吸気ポンプ６８は、吸盤７４の被吸着部５０への吸着後には吸気配管へ連通した内部回路の圧力弁（図示省略）を閉じて吸盤７４と被吸着部５０との間に生じた負圧を維持する。
【００３４】
システム制御部は、吸盤７４が開閉蓋４８の被吸着部５０へ吸着した状態で、駆動ローラ６４を逆転させて駆動部６０を吸着位置から待機位置の方向へ移動させる。駆動部６０が待機位置の方向へ移動すると共に開閉蓋４８が身箱４６から離脱して身箱４６の上面開口が開状態とされる。このとき、駆動部６０が待機位置まで移動することにより、開閉蓋４８は図６に示されるように取出搬送機構５６へ干渉しない開放位置に保持される。
【００３５】
システム制御部は、蓋吸着部６２により開閉蓋４８が吸着されて駆動部６０が待機位置へ移動すると、駆動ローラ８４を正転させて取出搬送機構５６の駆動部８０を図６において実線により示される供給位置から２点鎖線により示される取出位置へ移動させる。このとき、吸盤８２は身箱４６内の感光性印刷版４２の感光面へ対向するように駆動部８０により支持される。システム制御部は、駆動部８０が取出位置へ移動するとアクチュエータ９０によりスライド軸８８を延出させて吸盤８２を合紙４４又は感光性印刷版４２へ圧接させ、吸気ポンプ９２を駆動させる。これにより、吸盤８２が吸気ポンプ９２により生じた負圧により合紙４４又は感光性印刷版４２へ吸着する。このとき、吸気ポンプ９２は、吸盤８２の感光性印刷版４２への吸着後には吸気チューブ９４へ連通した内部回路の圧力弁（図示省略）を閉じて吸盤８２と合紙４４との間、あるいは吸盤８２と感光性印刷版４２との間に生じた負圧を維持する。またシステム制御部は、駆動部８０に搭載された金属センサからの信号により吸盤８２が合紙４４へ吸着したか、吸盤８２が感光性印刷版４２へ吸着したかを判断すると共に、吸盤８２への吸着物の種類に応じて切換爪１００の位置を変える。
【００３６】
システム制御部は、吸盤８２の感光性印刷版４２への吸着後にアクチュエータ９０によりスライド軸８８を収縮させて合紙４４又は感光性印刷版４２を身箱４６内から持ち上げ、この合紙４４又は感光性印刷版４２の先端部を装填ケース２４外部へ延出させる。この状態から、システム制御部は駆動ローラ８４を逆転させて駆動部８０をガイドレール７８の上端方向へ移動させる。これにより、合紙４４又は感光性印刷版４２は印刷版収納部１６内における印刷版搬送路９６の入口部の方向へ搬送され、駆動部８０がガイドレール７８の上端へ到達すると、合紙４４又は感光性印刷版４２の先端部が印刷版搬送路９６の入口部に配置された搬送ローラ対のニップ部へ挿入される。この後、システム制御部は吸気ポンプ９２の内部回路へ配置された圧力弁を開として吸盤８２内へ空気を入れて吸盤８２による吸着力を消失させ、印刷版搬送路９６による感光性印刷版４２及び合紙４４の搬送を開始させる。
【００３７】
システム制御部は、感光性印刷版４２又は合紙４４の後端が印刷版供給カセット１８の外部まで搬送されると、駆動ローラ６４を正転させて駆動部６０を再び吸着位置へ移動させる。これにより、蓋吸着部６２により吸着された開閉蓋４８が身箱４６上へ被せられて感光性印刷版４２の上面開口が閉状態となる。駆動部６０が吸着位置へ移動すると、システム制御部は吸気ポンプ６８の内部回路の圧力弁を開として吸盤７４と被吸着部５０との吸着力を消失させた後、駆動ローラ６４を逆転させて駆動部６０を待機位置へ復帰させる。またシステム制御部は、吸盤８２が吸着した吸着物が合紙４４であると判断すると切換爪１００（図１参照）を印刷版搬送路９６と交差する位置へ移動させ、また吸着物が感光性印刷版４２であると判断すると切換爪１００を図１に示されるように印刷版搬送路９６と交差しない位置へ保持する。これにより、取出搬送手段５６が身箱４６内から１枚の合紙４４を取り出した場合には、この合紙４４は印刷版搬送路９６により合紙収納部３６へ落下し、また取出搬送手段５６が身箱４６内から１枚の感光性印刷版４２を取り出した場合には、この感光性印刷版４２は印刷版搬送路９６により露光装置１２へ搬送される。
【００３８】
以上説明した本実施形態の印刷版供給装置１０によれば、印刷版収納部１６の遮光室２２内において取出搬送機構５６による感光性印刷版４２取出動作の開始と共に、蓋開閉機構５４により印刷版包装箱２８の開閉蓋４８を身箱４６から離脱させて身箱４６の上面開口を開状態とし、かつ取出搬送機構５６による感光性印刷版４２の取出動作の完了と共に、蓋開閉機構５４により印刷版包装箱２８の開閉蓋４８を身箱４６へ被せて閉鎖位置へ復帰して身箱４６の上面開口を閉状態とすることにより、複数枚の感光性印刷版４２を収納した印刷版包装箱２８を蓋部４８を閉めた状態で印刷版供給カセット１８へ装填し、この印刷版包装箱２８が装填された印刷版供給カセット１８を印刷版収納部１６内へ装着すれば、遮光室２２内において取出搬送機構５６により印刷版包装箱２８内から感光性印刷版４２を自動的に取り出すことが可能になるので、装置外部において感光性印刷版４２を収納した印刷版包装箱２８の開閉蓋４８を開ける作業を不要にでき、かつ感光性印刷版４２を露光させることなく明るい環境下で感光性印刷版４２の装填作業を行える。
【００３９】
また取出搬送機構５６により感光性印刷版４２の取り出し、又は搬送が行われていない時に、スライド扉２０を開けて印刷版供給カセット１８を印刷版収納部１６から装置外部へ抜き出しても、印刷版包装箱２８は開閉蓋４８が閉状態とされ、印刷版包装箱２８により感光性印刷版４２への露光を防止できるので、明るい環境下でも感光性印刷版４２の交換作業を行うことができる。
【００４０】
（第２実施形態の構成）
図７には本発明の第２実施形態に係る印刷版供給装置の蓋開閉機構及び取出搬送機構が示され、図８に本発明の第２実施形態に係る印刷版供給装置へ用いられる印刷版包装箱が示されている。尚、本発明の第２実施形態に係る印刷版供給装置では、第１実施形態に係る印刷版供給装置１０における部材と基本的構成が同一の部材については同一符号を付して説明を省略する。
【００４１】
印刷版包装箱１１２は、第１実施形態の印刷版包装箱２８と同様に複数枚の感光性印刷版４２及び合紙４４を収納して印刷版供給カセット１８へ装填される。印刷版包装箱１１２は図８に示されるように身箱１１４と、この身箱１１４により揺動可能に支持された開閉蓋１１６とから構成されている。これらの身箱部１１４及び開閉蓋１１６は、十分な遮光性及び強度を有する素材により製造される。
【００４２】
身箱１１４は長方形に形成された底板部と、この底板部の周縁から略直角に折り曲げられた長辺側及び短辺側の側板部１１４Ａ，１１４Ｂと、この側板部１１４Ａ，１１４Ｂの上端面へ固着された天板部１１４Ｃとを備えている。身箱１１４では、天板部１１４Ｃにより身箱１１４上面における長手方向の中心に対する片側領域が塞がれており、残りの片側領域には感光性印刷版４２を外部へ供給するための供給口１１４Ｄが形成されている。天板部１１４Ｃには供給口１１４Ｄ側へ面した端部に開閉蓋１１６の一端部である支持端部１１６Ａが連結されている。ここで、天板部１１４Ｃと開閉蓋１１６とは蝶番状の連結部材，柔軟性及び強い接着力を有するテープ状の連結部材等により連結されており、開閉蓋１１６は支持端部１１６Ａを中心として天板部１１４Ｃにより揺動可能に支持されている。
【００４３】
身箱１１４内には側板部１１４Ａ，１１４Ｂと感光性印刷版４２の側端との間にスペーサ１１８が配置されており、このスペーサ１１８は、身箱１１４内において感光性印刷版４２が移動することを制限している。
【００４４】
開閉蓋１１６は身箱１１４上面における片側領域と略同一形状の段ボール等により形成されており、図８（Ｂ）に示される供給口１１４Ｄを閉状態とする閉鎖位置から図８（Ａ）に示される供給口１１４Ｄを開状態とする開放位置との間で揺動可能に支持されている。開閉蓋１１６には内側の面に弾性を有する押圧部材１２０が固着されており、開閉蓋１１６は閉鎖位置へ保持された状態で感光性印刷版４２の上面へ押圧部材１２０を押圧させて感光性印刷版４２の移動を防止している。
【００４５】
本実施形態の印刷版包装箱１１２でも、第１実施形態に係る印刷版包装箱２８と同様に側板部１１４Ａ，１１４Ｂ間の継目に隙間できないように確実に塞ぎ、かつ側板部１１４Ａ，１１４Ｂと天板部１１４Ｃとの間及び天板部１１４Ｃと開閉蓋１１６との連結部も確実に塞ぐ必要がある。更に、開閉蓋１１６には閉鎖位置にある状態で供給口１１４Ｄの周縁部全周に亘って密着する光遮断部が設けられており、この光遮断部により開閉蓋１１６と身箱１１４との間から箱内へ光が入ることが防止されている。また押圧部材１２０を供給口１１４Ｄの開口形状と対応する形状とし、閉鎖位置にある状態で押圧部材１２０を身箱１１４内における供給口１１４Ｄに沿った部分へ圧接させれば印刷版包装箱１１２の遮光性を強化でき、かつ振動等により開閉蓋１１６の閉鎖位置からの移動を防止できる。
【００４６】
開閉蓋１１６には、図８（Ｂ）に示されるように外側の面に平滑性及び気密性を有するシート状材料が貼り付けられており、このシート状材料により被吸着部１２１が設けれている。但し、開閉蓋１１６の外側の面が十分な平滑性及び気密性を有している場合には、シート状材料等からなる被吸着部５０は省略できる。また印刷版供給カセット１８への装填前には開閉蓋１１６は、開閉蓋１１６から身箱１１４へ貼り渡された固定用の粘着テープ５２により身箱１１４上の閉鎖位置へ固定されている。
【００４７】
上記のように構成された印刷版包装箱１１２は、図７に示されるように粘着テープ５２が剥離除去されて印刷供給カセット１８へ装填され、印刷版供給カセット１８と共に印刷版収納部１６内に装着される。印刷版収納部１６内には印刷版包装箱１１２の開閉蓋１１６に対する蓋開閉機構１２２及び感光性印刷版４２に対する取出搬送機構５６が配置されている。蓋開閉機構１２２は、図７に示されるように印刷版収納部１６内に固定されたガイドレール１２４と、このガイドレール１２４に沿って移動可能に支持された駆動部１２６と、この駆動部１２６により支持された吸盤１２８とを備えている。ガイドレール１２４は設置面３０上へ装填された印刷版包装箱１１２における支持端部１１６Ａからの曲率半径が略一定となるように湾曲している。駆動部１２６には、駆動モータ（図示省略）により正転又は逆転する駆動ローラ１３０と、この駆動ローラ１３０と共にガイドレール１２４を挟持したアイドルローラ１３２とが搭載されている。駆動部１２６は駆動ローラ１３０が正転又は逆転すると共に設置面３０上の印刷版包装箱１１２に対して接近又は離間する方向へ移動する。また駆動部１２６には、第１実施形態の駆動部６０と同様に吸気ポンプ（図示省略）が搭載され、この吸気ポンプの吸気口から延出した吸気配管の末端が吸盤１２８の吸着面上へ開口している。また駆動部１２６は、スライド軸１３４をガイドレール１２４の接線方向へ摺動可能に支持すると共に、スライド軸１３４を常に一定の付勢力により設置面３０の方向へ付勢している。このスライド軸１３４の先端部には吸盤１２８が配置されている。
【００４８】
（第２実施形態の作用）
上記のように構成された本発明の第２実施形態に係る印刷版供給装置の動作及び作用について説明する。尚、本実施形態の印刷版供給装置では、取出搬送機構５６が印刷版包装箱１１２から１枚の感光性印刷版４２を取り出し、この感光性印刷版４２を印刷版搬送路９６へ挿入するまでの動作については第１実施形態の印刷版供給装置１０の場合と同様であるので、取出搬送機構５６による動作については説明を省略する。
【００４９】
システム制御部は、感光性印刷版４２の供給動作開始と共に駆動ローラ１３０を正転させて駆動部１２６を図６において実線により示される待機位置から２点鎖線により示される吸着位置へ移動させ、駆動部１２６へ搭載された吸気ポンプを駆動させる。これにより、吸盤１２８が印刷版供給カセット１８へ装填された印刷版包装箱１１２の被吸着部１２１へ圧接して被吸着部５０へ吸着する。このとき、吸盤１２８が一定以上の力で被吸着部１２１を押圧するとスライド軸１３４が収縮することから、吸盤１２８により印刷版包装箱１１２へ過大な押圧力が作用することが防止されている。また吸気ポンプは、吸盤１２８の被吸着部１２１への吸着後には吸気配管へ連通した内部回路の圧力弁（図示省略）を閉じて吸盤１２８の吸着面と被吸着部１２１との間に生じた負圧を維持する。
【００５０】
システム制御部は、吸盤７４が開閉蓋１１６の被吸着部１２１へ吸着した状態で、駆動ローラ１３０を逆転させて駆動部１２６を吸着位置から待機位置へ移動させる。駆動部１２６が待機位置の方向へ移動すると共に開閉蓋１１６の揺動端が身箱４６から離間する方向へ揺動して身箱１１４の供給口１１４Ｄが開口する。このとき、駆動部１２６が待機位置まで移動することにより、開閉蓋１１６は図６において２点鎖線により示されされるように取出搬送機構５６へ干渉しない開放位置に保持される。
【００５１】
システム制御部は、吸盤１２８により開閉蓋１１６が吸着されて駆動部１２６が待機位置へ移動すると、取出搬送機構５６を第１実施形態の場合と同様に作動させて１枚の感光性印刷版４２を印刷版搬送路９６へ挿入させる。システム制御部は、取出搬送機構５６により１枚の感光性印刷版４２の後端が印刷版装填ケース２４の外部へ搬送されると、駆動ローラ１３０を正転させて駆動部１２６を再び吸着位置へ移動させる。これにより、吸盤１２８により吸着された開閉蓋１１６が身箱１１４上の閉鎖位置へ移動し、開閉蓋１１６により供給口１１４Ｄが閉状態となる。駆動部１２６が吸着位置へ移動すると、システム制御部は、駆動部１２６へ搭載された吸気ポンプの内部回路の圧力弁を開として吸盤１２８による吸着力を消失させた後、駆動ローラ１３０を逆転させて駆動部１２６を待機位置へ復帰させる。
【００５２】
以上説明した本実施形態の印刷版供給装置によれば、第１実施形態の印刷版供給装置１０による作用効果に加え、開閉蓋１１６が身箱１１４により閉鎖位置から開放位置までの範囲で揺動可能に支持されていることから、開閉蓋１１６を閉鎖位置及び開放位置へ移動させることが容易になり、かつ開閉蓋１１６を小型軽量化しやすい。この結果、第１実施形態の印刷版供給装置１０の蓋開閉機構５４と比較し、本実施形態の印刷版供給装置では蓋開閉機構１２２を小型化すると共に蓋開閉機構１２２の構造を簡略化できる。
【００５３】
（第３実施形態の構成）
図９には本発明の第３実施形態に係る印刷版供給装置の蓋開閉機構及び取出搬送機構が示され、図１０に本発明の第３実施形態に係る印刷版供給装置へ用いられる印刷版包装箱が示されている。尚、本発明の第３実施形態に係る印刷版供給装置では、第１実施形態に係る印刷版供給装置１０における部材と基本的構成が同一の部材については同一符号を付して説明を省略する。
【００５４】
印刷版包装箱１４０は、第１実施形態の印刷版包装箱２８と同様に複数枚の感光性印刷版４２及び合紙４４を収納して印刷版供給カセット１８へ装填される。印刷版包装箱１４０は図１０に示されるように身箱１４２と、この身箱１４２により摺動可能に支持された開閉蓋１４４とから構成されている。これらの身箱部１４２及び開閉蓋１４４は、十分な遮光性及び強度を有する素材、例えば段ボール，厚手の紙，黒色不透明の樹脂等により製造される。
【００５５】
身箱１４２は長方形に形成された底板部と、この底板部の周縁から略直角に折り曲げられた長辺側及び短辺側の側板部１４２Ａ，１４２Ｂとを備えている。身箱１４２は、その上面側が開口しており、この上面開口が感光性印刷版４２を外部へ供給するための供給口とされている。身箱１４２内には、長辺側の一対の側板部１４２Ａの上端部にそれぞれスライド溝１４２Ｃが形成されている。このスライド溝１４２Ｃは、身箱１４２の上面開口に沿って長手方向へ延在している。また短辺側の一方の側板部１４２Ｂは、長辺側の側板部１４２Ａ及び他方の側板部１４２Ｂより僅かに低く形成されている。一方、開閉蓋１４４には、一対の長辺側の端部にそれぞれスライド溝１４２Ｃ内へ摺動可能に係合するガイド部１４４Ａが形成されている。
【００５６】
開閉蓋１４４はガイド部１４４Ａをスライド溝１４２Ｃ内へ係合することにより、身箱１４２の上面開口に沿って摺動可能に支持される。開閉蓋１４４は、図１０（Ｂ）に示されるように他方の側板部１４２Ｂに対して僅かに高くされた他方の側板部１４２Ｂへ当る閉鎖位置へ摺動して身箱１４２の上面開口を閉状態とし、この他方の側板部１４２Ｂから一方の側板部１４２Ｂの方向へ摺動して図１０（Ａ）に示されるように身箱１４２の上面開口を開状態とする。身箱１４２内には側板部１４２Ａ，１４２Ｂと感光性印刷版４２との間にスペーサ１４６が配置されており、このスペーサ１４６は身箱１１４内において感光性印刷版４２が移動することを制限し、更に開閉蓋１４４の下面における周縁部の全周に亘って当接し、身箱１４２内へ光が入射することを防止する光遮断部を形成している。また開閉蓋１４４は、印刷版供給カセット１８への装填前には図１０（Ｂ）に示されるように開閉蓋１４４の上面周縁部から身箱１４２へ貼り渡された固定用の粘着テープ５２により閉鎖位置へ固定されている。
【００５７】
上記のように構成された印刷版包装箱１４０は、図９に示されるように粘着テープ５２が剥離除去されて印刷版供給カセット１８へ装填され、印刷版供給カセット１８と共に印刷版収納部１６内に装着される。印刷版収納部１６内には印刷版包装箱１１２の開閉蓋１１６に対する蓋開閉機構１４８及び感光性印刷版４２に対する取出搬送機構５６が配置されている。
【００５８】
蓋開閉機構１４８は、図９に示されるように印刷版収納部１６内に配置された支持アーム１５０と、この支持アーム１５０により支持された駆動ローラ１５２とを備えている。支持アーム１５０は印刷版収納部１６により揺動可能に支持されており、図９において実線により示される待機位置及び２点鎖線により示される蓋開閉位置の何れかの位置へ保持される。この支持アーム１５０には、揺動端部に駆動ローラ１５２が回動可能に配置されている。駆動ローラ１５２は、支持アーム１５０が蓋開閉位置へ保持されると開閉蓋１４４の上面へ圧接し、また支持アーム１５０が待機位置へ保持されると開閉蓋１４４から離間する。
【００５９】
印刷版収納部１６内には、支持アーム１５０へ近接してアクチュエータ１５４が配置されており、このアクチュエータ１５４は、支持アーム１５０へ連結された駆動軸１５６を延出又は収縮させて支持アーム１５０を蓋開閉位置又は待機位置へ移動させる。また支持アーム１５０には、駆動モータ１５８からのトルクを駆動ローラ１５２へ伝達する伝達機構（図示省略）が設けられており、駆動ローラ１５２は伝達機構を介して駆動モータ１５８から伝達されるトルクにより正転又は逆転する。
【００６０】
（第３実施形態の作用）
上記のように構成された本発明の第３実施形態に係る印刷版供給装置の動作及び作用について説明する。尚、本実施形態の印刷版供給装置では、取出搬送機構５６が印刷版包装箱１１２から１枚の感光性印刷版４２を取り出し、この感光性印刷版４２を印刷版搬送路９６へ挿入までの動作については第１実施形態の印刷版供給装置１０の場合と同様であるので、取出搬送機構５６による動作については説明を省略する。
【００６１】
システム制御部は、感光性印刷版４２の供給動作開始と共にアクチュエータ１５４を駆動して支持アーム１５０を待機位置から蓋開閉位置へ揺動させて駆動ローラ１５２を開閉蓋１４４へ圧接させる。この後、システム制御部は、駆動モータ１５８により駆動ローラ１５２を矢印Ｆ方向へ所定量回転（正転）させる。これにより、開閉蓋１４４は、駆動ローラ１５２からの力により身箱１４２の上面開口を開放する方向へ摺動し、図９において２点鎖線により示される開放位置に保持される。
【００６２】
システム制御部は、開閉蓋１４４が開放位置へ移動すると、取出搬送機構５６を第１実施形態の場合と同様に作動させて１枚の感光性印刷版４２を印刷版搬送路９６へ挿入させる。システム制御部は、取出搬送機構５６により感光性印刷版４２及び合紙４４の後端が印刷版装填ケース２４の外部へ搬送されると、駆動モータ１５８により駆動ローラ１５２を矢印Ｒ方向へ所定量回転（逆転）させる。これにより、開閉蓋１４４は、駆動ローラ１５２からの力により身箱１４２の上面開口を閉鎖する方向へ摺動し、側板部１４２Ｂへ当接して身箱１４２の上面開口を閉状態とする閉鎖位置へ復帰する。
【００６３】
以上説明した本実施形態の印刷版供給装置によれば、第１実施形態の印刷版供給装置１０による作用効果に加え、開閉蓋１４４が身箱１４２により摺動可能に支持されていることから、開閉蓋１４４を閉鎖位置及び開放位置へ移動させることが容易になり、かつ開閉蓋１４４を小型軽量化しやすい。この結果、第１実施形態の印刷版供給装置１０の蓋開閉機構５４と比較し、本実施形態の印刷版供給装置では蓋開閉機構１４８を小型化すると共に蓋開閉機構１４８の構造を簡略化できる。
【００６４】
尚、上述した本発明の第１〜２実施形態に係る蓋開閉機構５４，１２２としては吸盤７４，１２８により開閉蓋４８，１１６を吸着する構造のものを説明したが、開閉蓋７４，１１６を吸着する他の構造としては、開閉蓋７４，１１６に肉厚部を設け、この肉厚部を蓋開閉機構５４，１２２により支持された針状部材を突き刺して蓋開閉機構５４，１２２を開閉蓋７４，１１６へ連結する構造や、開閉蓋７４，１１６に特定形状の被係止部を設け、この被係止部を蓋開閉機構５４，１２２により支持された特定形状の係止部で係止させて蓋開閉機構５４，１２２を開閉蓋７４，１１６へ連結する構造等も可能である。
【００６５】
また、本発明の第１〜３実施形態に係る取出搬送機構５６としては、吸盤８２により感光性印刷版４２を吸着し、この感光性印刷版４２を駆動部８０により搬送するものを説明したが、感光性印刷版４２へフィードローラを圧接させ、このフィードローラを回転駆動させることにより、１枚の感光性印刷版４２を身箱４６，１１４，１４２の外部へ押し出し、印刷版搬送路９６内へ供給することも可能である。但し、このようなフィードローラを用いる場合には、身箱４６，１１４，１４２内における印刷版搬送路９６側の壁部に感光性印刷版４２を送り出すための開口又は傾斜面等を設けておく必要がある。
【００６６】
また、本発明の第１〜３実施形態に係る印刷版包装箱２８，１１２，１４０の外面における少なくとも１箇所へ情報表示部を設け、この情報表示部に感光性印刷版４２のサイズ，品種，露光強度や現像時間等の製版条件を設定するためのデータ等をバーコード，数値，記号，磁気パターン等により記録し、一方カセット収納部１６内に情報表示部の記録情報を読み取るための光学的又は磁気的スキャナを設けることも可能である。このような構成によれば、例えば、スキャナにより読み取られた情報をシステム制御部へ送り、システム制御部により感光性印刷版４２のサイズ等に応じて取出搬送機構５６の動作を制御させることにより、感光性印刷版４２のサイズに影響されることなく、取出搬送機構５６により確実に感光性印刷版４２を印刷版包装箱から取り出し、印刷版搬送路９６へ供給可能となり、またシステム制御部により感光性印刷版４２の品種，製版条件を設定するためのデータに応じて製版条件を制御させることにより、感光性印刷版４２に対する製版工程を常に最適条件へ制御できる。
【００６７】
【発明の効果】
以上説明したように本発明の感光性印刷版供給装置によれば、感光性印刷版の包装材を開ける作業を不要にすると共に、明るい環境下で感光性印刷版の装填作業を行える。
【図面の簡単な説明】
【図１】本発明の第１実施形態に係る印刷版供給装置が適用された自動製版機を示す側面断面図である。
【図２】本発明の第１実施形態に係る印刷版供給装置が適用された自動製版機を示す斜視図である。
【図３】本発明の第１実施形態に係る印刷版供給カセットへ印刷版包装箱が装填された状態を示す斜視図である。
【図４】本発明の第１実施形態に係る印刷版供給カセットへ装填される印刷版包装箱の開閉蓋が身箱から離脱した状態を示す斜視図である。
【図５】本発明の第１実施形態に係る印刷版供給カセットへ装填される印刷版包装箱の身箱へ開閉蓋がへ被せられた状態を示す斜視図である。
【図６】本発明の第１実施形態に係る印刷版供給装置における蓋開閉機構及び取出搬送機構の構成を示す側面図である。
【図７】本発明の第２実施形態に係る印刷版供給装置の蓋開閉機構及び取出搬送機構の構成を示す側面図である。
【図８】本発明の第２実施形態に係る印刷版供給装置へ用いられる印刷版包装箱の開閉蓋の開閉状態を示す斜視図である。
【図９】本発明の第３実施形態に係る印刷版供給装置の蓋開閉機構及び取出搬送機構の構成を示す側面図である。
【図１０】本発明の第３実施形態に係る印刷版供給装置へ用いられる印刷版包装箱の開閉蓋の開閉状態を示す斜視図である。
【符号の説明】
１０    印刷版供給装置
１６    印刷版収納部
１８    印刷版供給カセット
２２    遮光室
２４    印刷版装填ケース
２６    支持台
２８    印刷版包装箱
４６    身箱
４８    開閉蓋
５４    蓋開閉機構（蓋開閉手段）
５６    取出搬送機構（取出搬送手段）
１１２  印刷版包装箱
１１４  身箱
１１６  開閉蓋
１２２  蓋開閉機構（蓋開閉手段）
１４０  印刷版包装箱
１４２  身箱
１４４  開閉蓋
１４８  蓋開閉機構（蓋開閉手段）
【図１】
0003788863.tif 000002
【図２】
0003788863.tif 000003
【図３】
0003788863.tif 000004
【図４】
0003788863.tif 000005
【図５】
0003788863.tif 000006
【図６】
0003788863.tif 000007
【図７】
0003788863.tif 000008
【図８】
0003788863.tif 000009
【図９】
0003788863.tif 000010
【図１０】
0003788863.tif 000011